(57)【要約】【課題】ウエスト開口からの排泄物の漏れを防止可能であるウエストカフを備えた吸収性物品を提供すること。【解決手段】広い面で着用者の肌にフィットする伸縮性シートをウエストカフ（３）に使用することにより、運動によってウエストカフ（３）が着用者の肌から離れることを防止できる。また、ウエストカフ（３）と吸収性シャーシ（２）とが、吸収体（１３）の近傍で離間可能であるように接合されていることにより、排泄物の重みによりウエストカフ（３）のフィット性が低下することを防止でき、さらに、レッグカフがウエストカフ（３）により倒されることなく立ち上がることを可能にする。また、レッグカフの端部がウエストカフ（３）と吸収性シャーシ（２）との間に位置することにより、レッグカフとウエストカフ（３）との間で排泄物が漏れることを防止できる。【選択図】図１
2010227152.tif 000002
【特許請求の範囲】
【請求項１】
互いに直交する縦方向および横方向、肌当面およびその反対面、ならびに第１ウエスト域、第２ウエスト域、および前記第１ウエスト域と前記第２ウエスト域との間に位置するクロッチ域を有し、吸収体を含む吸収性シャーシと、前記第１ウエスト域と前記第２ウエスト域とにより形成されるウエスト開口と、前記第１および第２ウエスト域と前記クロッチ域とにより形成される一対のレッグ開口と、前記第１および第２ウエスト域のうち少なくとも前記第１ウエスト域において前記ウエスト開口の近傍に沿って前記肌当面に固定されるウエストカフとを含む吸収性物品において、
前記ウエストカフは、全体的にまたは部分的に、一定幅を有する伸縮性シートから形成されており、
前記ウエストカフは、前記吸収体と重なる領域および前記吸収体の横方向に対向する両側縁の近傍領域において、前記吸収性シャーシから離間可能であることを特徴とする、前記吸収性物品。
【請求項２】
前記吸収性シャーシの前記肌当面に固定される一対のレッグカフをさらに含み、前記レッグカフは、前記吸収体の前記両側縁に沿って前記肌当面に固定される固定縁部および前記縦方向に伸縮可能である自由縁部、ならびに前記第１ウエスト域および前記第２ウエスト域にそれぞれ位置する第１端部および第２端部を有しており、前記第１端部および前記第２端部のうち少なくとも前記第１端部は、前記吸収性シャーシと前記ウエストカフとの間に存在する、請求項１に記載の吸収性物品。
【請求項３】
前記吸収性シャーシは、肌当側に位置する内面シートと、前記内面シートと対向する外面シートと、前記内外面シートの間に介在する前記吸収体とを含む、請求項１または２に記載の吸収性物品。
【請求項４】
前記吸収性シャーシは、肌当側に位置する内面シートと、前記内面シートと対向する外面シートと、前記内面シート上に配置された前記吸収体とを含む、請求項１または２に記載の吸収性物品。
【請求項５】
前記吸収性シャーシは、前記第１ウエスト域および前記第２ウエスト域を形成するベルト状のウエスト部材と、前記クロッチ域を形成するクロッチ部材と、前記クロッチ部材の肌当側に配置されている前記吸収体とを含む、請求項１または２に記載の吸収性物品。
【請求項６】
前記伸縮性シートは、伸縮性繊維不織布から形成される、請求項１〜５のいずれか１項に記載の吸収性物品。
【発明の詳細な説明】
【技術分野】
【０００１】
本発明は、吸収性物品に関し、より詳細には、使い捨てのおむつ、排泄トレーニングパンツ、失禁ブリーフ等に関する。
【背景技術】
【０００２】
従来、使い捨てのおむつとして、例えば特許文献１に開示されるおむつが公知である。
【０００３】
特許文献１には、透液性の内面シートと、不透液性の外面シートと、これら両シートの間に位置する吸収体とを含み、かつ着用者の腹側に位置する部分と背側に位置する部分とを有し、ここで、腹側部分と背側部分とは両側端部において接合されて、ウエスト開口および一対のレッグ開口を形成している、パンツ型おむつが開示されている。このおむつは、ウエスト開口に沿ってウエスト弾性部材が配置されると共に、着用者の身体側において、ウエストカフがウエスト開口側からクロッチ側に向かって延びている。
【０００４】
このおむつにおいて、上記ウエストカフには弾性部材が配置されており、この弾性部材が伸縮して、着用者の肌にフィットする。このウエストカフとおむつ本体との間にポケットが形成され、ウエスト開口からの排泄物の漏れを防止することができる。
【０００５】
しかし、上記ウエストカフは、ウエスト開口縁部および両側端部でしかおむつ本体に固定されていないため、上記ポケットが着用者の運動によって変形しやすく、つぶれやすい。したがって、ポケットの中に捕捉された排泄物が漏れやすい。
【０００６】
特許文献２によって開示されるおむつは、特許文献１に記載のおむつと同様のウエストカフが、吸収体の左右側部近傍においておむつ本体に固定されている。このような構成により、特許文献２のおむつは、ポケットの形状が一定に保たれ、つぶれにくい。
【０００７】
さらに、特許文献２には、吸収体の左右両側にレッグカフが形成されているおむつもまた、開示されている。
【先行技術文献】
【特許文献】
【０００８】
【特許文献１】特許第３３１５９９３号明細書（ＪＰ  ３３１５９９３  Ｂ２）
【特許文献２】特許第４２１５３７０号明細書（ＪＰ  ４２１５３７０  Ｂ２）
【発明の概要】
【発明が解決しようとする課題】
【０００９】
特許文献１または２に開示されるおむつのウエストカフは、弾性部材を配置された部分で着用者の肌に比較的強く接触するが、広い面で肌にフィットするわけではなく、着用者の肌から離れやすい。
【００１０】
また、特許文献２に開示されるおむつのウエストカフは、吸収体の側部近傍でも固定されているため、吸収体が排泄物を吸収しまたは受け止めた後に排泄物の重みで引っ張られることにより、着用者の肌から離れやすい。
【００１１】
さらに、特許文献２に開示されるおむつにおいて、ウエストカフとレッグカフとが部分的に重なっている場合、吸収体の側部近傍で固定されているウエストカフによってレッグカフが倒れてしまい、漏れが生じる原因となる。また、レッグカフとウエストカフとが重なっていない場合、レッグカフもウエストカフも有さない領域において、排泄物の漏れを防止できない。
【課題を解決するための手段】
【００１２】
本発明は、互いに直交する縦方向および横方向、肌当面およびその反対面、ならびに第１ウエスト域、第２ウエスト域、および前記第１ウエスト域と前記第２ウエスト域との間に位置するクロッチ域を有し、吸収体を含む吸収性シャーシと、前記第１ウエスト域と前記第２ウエスト域とにより形成されるウエスト開口と、前記第１および第２ウエスト域と前記クロッチ域とにより形成される一対のレッグ開口と、前記第１および第２ウエスト域のうち少なくとも前記第１ウエスト域において前記ウエスト開口の近傍に沿って前記肌当面に固定されるウエストカフとを含む、吸収性物品の改良に関わる。
【００１３】
この発明は、前記ウエストカフが、全体的にまたは部分的に、一定幅を有する伸縮性シートから形成されており、また前記ウエストカフは、前記吸収体と重なる領域および前記吸収体の横方向に対向する両側縁の近傍領域において、前記吸収性シャーシから離間可能であることを、特徴とする。
【００１４】
本発明の好ましい実施形態のひとつとして、前記吸収性シャーシの前記肌当面に固定される一対のレッグカフをさらに含み、前記レッグカフは、前記吸収体の前記両側縁に沿って前記肌当面に固定される固定縁部および前記縦方向に伸縮可能である自由縁部、ならびに前記第１ウエスト域および前記第２ウエスト域にそれぞれ位置する第１端部および第２端部を有しており、前記第１端部および前記第２端部のうち少なくとも前記第１端部は、前記吸収性シャーシと前記ウエストカフとの間に存在する前記吸収性物品が、挙げられる。
【００１５】
他の好ましい実施形態において、前記吸収性シャーシは、肌当側に位置する内面シートと、前記内面シートと対向する外面シートと、前記内外面シートの間に介在する前記吸収体とを含む。
【００１６】
他の好ましい実施形態において、前記吸収性シャーシは、肌当側に位置する内面シートと、前記内面シートと対向する外面シートと、前記内面シート上に配置された前記吸収体とを含む。
【００１７】
他の好ましい実施形態において、前記吸収性シャーシは、前記第１ウエスト域および前記第２ウエスト域を形成するベルト状のウエスト部材と、前記クロッチ域を形成するクロッチ部材と、前記クロッチ部材の肌当側に配置されている前記吸収体とを含む。
【００１８】
他の好ましい実施形態において、前記伸縮性シートは、伸縮性繊維不織布から形成される。
【発明の効果】
【００１９】
本発明では、広い面で着用者の肌にフィットする伸縮性シートをウエストカフの全体または広い範囲にわたる部分に使用することにより、着用者の運動によってウエストカフが着用者の肌から離れることを防止できる。
【００２０】
また、本発明において、ウエストカフと吸収性シャーシとが、吸収体の近傍で離間可能であるように接合されていることにより、吸収体が排泄物を吸収しまたは受け止めた場合にも、排泄物の重みによりウエストカフのフィット性が低下することを防止できる。
【００２１】
さらに、レッグカフを含む実施形態において、レッグカフがウエストカフにより倒されることなく立ち上がることを可能にする。
【００２２】
また、レッグカフの端部がウエストカフと吸収性シャーシとの間に位置することにより、レッグカフとウエストカフとの間で排泄物が漏れることを防止できる。
【図面の簡単な説明】
【００２３】
【図１】本発明にかかるおむつの部分破断斜視図。
【図２】図１のおむつを展開した部分破断平面図。
【図３】図１のＩＩＩ−ＩＩＩ線における部分破断矢視断面図。
【図４】他の実施形態における図２と同様の図の部分図。
【発明を実施するための形態】
【００２４】
パンツ型の使い捨ておむつを例に挙げ、本発明にかかる吸収性物品を、添付の図面を参照して詳細に説明する。
【００２５】
図１は、本発明にかかるおむつ１の部分破断斜視図である。
【００２６】
図１で示されるように、おむつ１は、吸収性シャーシ２と、ウエストカフ３とを含む。図１において、シャーシ２およびウエストカフ３は、それぞれ一部分が破断されて示されている。
【００２７】
シャーシ２は、本発明における第１ウエスト域である前ウエスト域４、本発明における第２ウエスト域である後ウエスト域５、およびこれらの前後ウエスト域４，５の間に位置するクロッチ域６を有する。前ウエスト域４からクロッチ域６を介して後ウエスト域５に連なる方向を縦方向Ｙ、これに直交する方向を横方向Ｘと呼ぶ。
【００２８】
おむつ１が着用される際、前ウエスト域４は着用者の腹側に、後ウエスト域は背側に位置する。また、シャーシ２は、着用される際に着用者の肌に当接する肌当面７を有する。
【００２９】
前ウエスト域４は、横方向Ｘに対向する一対の両側端部１４を、後ウエスト域５は、横方向Ｘに対向する一対の両側端部１５を、それぞれ有する。側端部１４と側端部１５とは、肌当面７において互いに重なり合って接合され、シーム部１６を形成している。前後ウエスト域４，５により、ウエスト開口１８が形成され、前後ウエスト域４，５とクロッチ域６とにより一対のレッグ開口１９が形成されている。
【００３０】
ウエストカフ３は、シャーシ２の前ウエスト域４の肌当面７に、両側端部１４の間でウエスト開口１８近傍に沿って固定されている。
【００３１】
図２は、図１のおむつを、両側端部１４，１５の接合を外して縦方向Ｙに展開し、肌当面７から見た平面図である。図２において、シャーシ２およびウエストカフ３は、それぞれ一部分が破断されて示されている。また、図２において、伸縮性を有する部材は、伸展された状態で示されている。
【００３２】
図３は、図１のＩＩＩ−ＩＩＩ線における矢視断面図である。図３において、ウエストカフ３は、一部分が破断されて示されている。
【００３３】
図２、３で示されるように、おむつ１は、横方向Ｘの寸法を二等分する縦中心線Ｌに対して、対称に構成される。シャーシ２は、肌当面７に位置する内面シート１１、肌当面７の反対面に位置する外面シート１２、およびこれら内外面シート１１，１２の間に介在する吸収体１３を含む。
【００３４】
ウエストカフ３は、ウエスト開口１８側の上端縁２１からクロッチ域６側の下端縁２２までの一定幅を有する伸縮性シートで形成され、間欠的点模様を付して示されている接合領域２０において、シャーシ２の肌当面７と接合されている。ここで、ウエストカフ３と肌当面７とは、吸収体１３の横方向両側において吸収体１３と重なる領域よりそれぞれｗで示す寸法ずつ大きい矩形の形状を有する非接合領域３０において、接合されていない。したがって、図３で示されるように、ウエストカフ３は、吸収体１３と重なる領域および吸収体１３の横方向Ｘに対向する両側縁１３ａの近傍領域において、シャーシ２の肌当面７から離間可能である。
【００３５】
図２で示されるように、吸収体１３の両側縁１３ａに沿って、一対のレッグカフ１７が、シャーシ２の肌当面７に固定されている。このレッグカフ１７は、吸収体１３の側縁１３ａに沿う固定縁部１７ａと、自由縁部１７ｄと、本発明における第１および第２端部である前後端部１７ｂ，１７ｃとを有し、この前後端部１７ｂ，１７ｃは、前後ウエスト域４，５にそれぞれ位置する。レッグカフ１７の前後端部１７ｂ，１７ｃは、吸収体１３の前後端縁とそれぞれ重なっている。
【００３６】
レッグカフ１７は、固定縁部１７ａおよび前後端部１７ｂ，１７ｃにおいてシャーシ２の肌当面７に接合されており（図２参照）、自由縁部１７ｄにおいて伸長状態で接合され縦方向Ｙに伸縮可能である弾性部材を含む（図３参照）。
【００３７】
図１〜３に示されるおむつ１を着用すると、ウエストカフ３が着用者の腹側にぴったりとフィットする。ウエストカフ３は、非接合領域３０においてシャーシ２の肌当面７との間にポケットを形成し、ウエスト開口１８からの排泄物の漏れを防止する。さらに、レッグカフ１７は、弾性部材の収縮により、肌当面７から離間しまたは立ち上がって、自由縁部１７ｄにおいて着用者の肌にフィットし、シャーシ２のクロッチ域６を着用者の肌から離間させる性向を有する。
【００３８】
上記の構成において、ウエストカフ３は、吸収体１３の横方向の近傍において、シャーシ２の肌当面７から離間可能である。したがって、ウエストカフ３は、吸収体１３が排泄物を吸収しまたは受け止めた後に、シャーシ２が吸収体１３の重みによって下方へ引っ張られても影響を受けにくく、吸収体に追従して着用者の肌から離れにくい。また、上記の構成により、レッグカフ１７は、ウエストカフ３とシャーシ２との間で倒されることなく立ち上がることができる。したがって、ウエストカフ３またはレッグカフ１７と着用者の肌との間に隙間を作らず、排泄物を漏らすことなく受け止めることができる。
【００３９】
図２、３で示される、非接合領域３０がウエストカフ３の下端縁２２において吸収体１３と重ならない横方向の寸法ｗは、好ましくは１０ｍｍ〜３０ｍｍである。
【００４０】
図４は、異なる形状の接合領域２０および非接合領域３０を有するおむつ１を示す、図２と同様の図である。
【００４１】
この実施形態において、非接合領域３０は、ウエストカフ３の下端縁２２に向かって縦方向に、段階的に面積が増大していくように形成されている。
【００４２】
おむつ１が着用された場合、レッグカフ１７の高さは、前端部１７ｂからクロッチ域６側に向かって徐々に高くなるため、ウエストカフ３もまた、レッグカフの高さに合わせて肌当面７から徐々に離間することが好ましい（図３参照）。図４に示すおむつ１において、ウエストカフ３は、ウエストカフ３の離間可能な領域が下端縁２２に向かって段階的に広がるように肌当面７と接合されているので、ウエストカフ３およびレッグカフ１７の形状がさらに安定する。図４において、非接合領域３０の面積が３段階で増大する実施形態が示されているが、この段階は２段階であってもよく、３段階より多くてもよい。また、非接合領域３０は、ウエストカフ３の下端縁２２に向かって連続的に広がるものであってもよく、すなわち、台形の形状を有していてもよい。
【００４３】
図２〜４で示される接合領域２０は、必ずしもその全体が接合されていなくてもよい。少なくとも、両側端部１４、上端縁２１近傍、および非接合領域３０近傍は、接合されていることが好ましい。
【００４４】
図１〜４に示されるおむつ１において、ウエストカフ３は全体的に伸縮性シートで形成されているが、ウエストカフ３が伸縮性シートと非伸縮性シートとによって形成されるおむつもまた、実施可能である。例えば、ウエストカフ３におけるシャーシ２の肌当面７との接合領域２０の一部分を、非伸縮性シートで形成することができる。また、ウエストカフ３の下端縁２２近傍に非伸縮性シートが使用される場合、下端縁２２から縦方向に５ｍｍ以内の領域においてのみ使用されることが好ましい。
【００４５】
レッグカフ１７は、その全体が伸縮性のシートで形成されていてもよい。
【００４６】
また、これらのおむつ１において、レッグカフ１７の前後端部１７ｂ，１７ｃは、吸収体１３の前後端縁とそれぞれ重なるように形成されているが、吸収体１３の前後端縁よりクロッチ域６側に位置していてもよく、ウエスト開口１８近傍に位置していてもよい。また、ウエストカフ３は、非接合領域３０において、レッグカフ１７の自由縁部１７ｄが伸縮可能である部分と、伸展状態で縦方向に１０ｍｍ以上重なっていることが好ましい。
【００４７】
他の好ましい実施形態において、本発明にかかるおむつ１は、第２ウエスト域においても第１ウエスト域と同様のウエストカフを有する。
【００４８】
図１〜４に示されるおむつ１において、シャーシ２は、肌当面７全体を覆う透液性の内面シート１１、肌当面７の反対面全体を覆う不透液性の外面シート１２、およびこれらの内外面シート１１，１２の間に挟まれる吸収体１３を含むが、本発明はこのような構成に限定されない。例えば、シャーシ全体を形成する内外面シートの肌当側に、透液性のシートで覆った吸収体を固定した吸収性シャーシを有するおむつもまた、実施可能である。また別の例において、第１ウエスト域および第２ウエスト域を形成するベルト状のウエスト部材と、クロッチ域を形成し不透液性シートからなるクロッチ部材とを含み、このクロッチ部材の肌当側に透液性シートで覆った吸収体を固定した吸収性シャーシを有するおむつもまた、実施可能である。吸収体が透液性シートで覆われている場合、この吸収体は、肌当面においてのみ透液性シートで覆われていてもよく、または吸収体全体が透液性シートで包まれていてもよい。
【００４９】
本発明のウエストカフまたはレッグカフを形成するために使用されるシートは、好ましくは、難透液性または不透液性である。
【００５０】
本発明において使用される伸縮性シートは、伸縮性プラスチックフィルムなどであってもよいが、好ましくは伸縮性繊維不織布である。
【００５１】
本発明において、透液性シートとしては、繊維不織布、多孔性プラスチックフィルム等、不透液性シートとしては、透湿不透液性プラスチックフィルムまたは透湿不透液性プラスチックフィルムと繊維不織布とのラミネート等、吸収体としては、フラッフパルプと高吸収性ポリマー粒子、オプションとして熱可塑性ステープルファイバーとの混合物がティッシュペーパー等の吸液拡散性のシートで被覆されたもの等、弾性部材としては、天然ゴム、合成ゴム、伸縮性繊維不織布等、それぞれ使い捨ておむつおよび生理用ナプキン等の構成素材として慣用されているものが用いられ得る。
【００５２】
本発明において、おむつを構成する部分どうしが接合されている場合、これらの部分は、ホットメルト接着剤等の接着剤、またはヒートシール、ソニックシール等による熱可塑性シートの溶着等、当該分野で慣用される手段によって接合され得る。
【００５３】
本発明にかかる吸収性物品は、パンツ型の使い捨ておむつを例に挙げて説明されてきたが、例えば、前後ウエスト域を両側端部において接合してシーム部を形成する代わりにメカニカルファスナ等の固定手段を前後ウエスト域のそれぞれに取り付けた、いわゆるオープン型のおむつにおいて、本発明を実施することも可能である。
【符号の説明】
【００５４】
１      おむつ（吸収性物品）
２      吸収性シャーシ
３      ウエストカフ
４      前ウエスト域（第１ウエスト域）
５      後ウエスト域（第２ウエスト域）
６      クロッチ域
７      肌当面
１１    内面シート
１２    外面シート
１３    吸収体
１３ａ  側縁
１７    レッグカフ
１７ａ  固定縁部
１７ｂ  前端部（第１端部）
１７ｃ  後端部（第２端部）
１７ｄ  自由縁部
Ｘ      横方向
Ｙ      縦方向
【図１】
2010227152.tif 000003
【図２】
2010227152.tif 000004
【図３】
2010227152.tif 000005
【図４】
2010227152.tif 000006